(57)【要約】【課題】光ディスク回転駆動機構の駆動により光ディスクが回転する際に生じる騒音等を抑制することのできるディスク装置を提供すること。【解決手段】本発明のディスク装置１は、金属板で構成された外装ケース２５を有する装置本体２と、装置本体２に光ディスクを装填する装填位置と、該装填位置より前側の、光ディスクを排出する排出位置とに移動可能なディスクトレイ１１とを備えている。このディスク装置１では、外装ケース２５は、ディスクトレイ１１を挿通するディスクトレイ開口部２６１が形成された金属製の前板２６を有し、前板２６は、外装ケース２５の前面の、ディスクトレイ開口部２６１を除いた部分の概ね全体に渡っており、装置本体２は、前板２６の外側に設置されたベゼルを有している。【選択図】図５
2005044473.tif 000002
【特許請求の範囲】
【請求項１】
光ディスクに記録された情報を再生する機能を有するディスク装置であって、
金属板で構成された外装ケースを有する装置本体と、
前記装置本体に光ディスクを装填する装填位置と、該装填位置より前側の、光ディスクを排出する排出位置とに移動可能なディスクトレイと、
前記装置本体内で変位可能に設置されたシャーシと、
前記シャーシに搭載され、光ディスクを装着するターンテーブルを有し、前記シャーシの変位により前記装置本体内で上昇位置と下降位置とに移動する光ディスク回転駆動機構と、
前記外装ケースの天板に対し回転可能に設置され、前記光ディスク回転駆動機構が前記上昇位置に移動したとき前記ターンテーブルとの間で光ディスクを挟持するディスククランパとを備え、
前記外装ケースは、前記ディスクトレイを挿通するディスクトレイ開口部が形成された金属製の前板を有し、
前記前板は、前記外装ケースの前面の、前記ディスクトレイ開口部を除いた部分の概ね全体に渡って設けられ、
前記装置本体は、前記前板の外側に設置されたベゼルを有することを特徴とするディスク装置。
【請求項２】
前記前板は、ヘッドホンを接続するヘッドホン端子が露出しているヘッドホン端子開口部と、
前記光ディスクに記録された情報を再生する際に、再生する音の強弱を調節する調節ツマミが露出している調節ツマミ開口部と、
前記ディスクトレイを異常時に前記排出位置に移動させる際に、前記ディスクトレイを移動操作する緊急排出ボタンが露出している緊急排出ボタン開口部と、
前記ディスク装置が作動している際に、点灯を行うＬＥＤが露出しているＬＥＤ開口部と、
前記ディスクトレイを前記装填位置または前記排出位置に移動させる際に、前記ディスクトレイを移動操作する移動操作ボタンが露出している移動操作ボタン開口部とからなる群より選択される少なくとも一つを有する請求項１に記載のディスク装置。
【請求項３】
前記前板は、当該ディスク装置の前面の投影面積の５０％以上を覆っている請求項１または２に記載のディスク装置。
【請求項４】
前記前板は、前記外装ケースの天板または底板と一体的に形成されている請求項１ないし３のいずれかに記載のディスク装置。
【発明の詳細な説明】
【技術分野】
【０００１】
本発明は、光ディスクを再生、または記録／再生するディスク装置に関する。
【背景技術】
【０００２】
ＣＤ−ＲＯＭ、ＣＤ−Ｒ、ＣＤ−ＲＷ、ＤＶＤ等の光ディスクを再生、または記録／再生するディスク装置が知られている。このディスク装置は、箱状の装置本体と、該装置本体に対し移動可能なディスクトレイとを有し、光ディスクは、ディスクトレイに収納され、ディスクトレイの移動により装置本体に装填される。装置本体内部には、ターンテーブルを有する光ディスク回転駆動機構が搭載されたシャーシが上下動可能に設置されている。また、装置本体の天板には、ディスククランパが回転可能に設置されている（例えば、特許文献１参照）。
【０００３】
装置本体に光ディスクが装填されると、シャーシとともにターンテーブルが上昇することにより、ターンテーブルに光ディスクが装着され、さらに、ディスククランパがターンテーブルとの間で光ディスクを挟持する。この状態で、光ディスク回転駆動機構の駆動により、ターンテーブルが回転し、それに伴い、光ディスクおよびディスククランパが回転する。
【０００４】
さて、このようなディスク装置では、光ディスク回転駆動機構の駆動により光ディスクが回転する際、その回転等により振動が発生し、騒音を招いていた。
【０００５】
さらに、この騒音は、一般的に金属板で構成される天面、側面、底面に比べ、樹脂で構成される前面からの騒音の洩れが大きいという問題があった。
【０００６】
【特許文献１】実開平７−４１７３６号公報
【発明の開示】
【発明が解決しようとする課題】
【０００７】
本発明の目的は、光ディスク回転駆動機構の駆動により光ディスクが回転する際に生じる騒音等を抑制することのできるディスク装置を提供することにある。
【課題を解決するための手段】
【０００８】
このような目的は、下記（１）〜（４）の本発明により達成される。
（１）  光ディスクに記録された情報を再生する機能を有するディスク装置であって、
金属板で構成された外装ケースを有する装置本体と、
前記装置本体に光ディスクを装填する装填位置と、該装填位置より前側の、光ディスクを排出する排出位置とに移動可能なディスクトレイと、
前記装置本体内で変位可能に設置されたシャーシと、
前記シャーシに搭載され、光ディスクを装着するターンテーブルを有し、前記シャーシの変位により前記装置本体内で上昇位置と下降位置とに移動する光ディスク回転駆動機構と、
前記外装ケースの天板に対し回転可能に設置され、前記光ディスク回転駆動機構が前記上昇位置に移動したとき前記ターンテーブルとの間で光ディスクを挟持するディスククランパとを備え、
前記外装ケースは、前記ディスクトレイを挿通するディスクトレイ開口部が形成された金属製の前板を有し、
前記前板は、前記外装ケースの前面の、前記ディスクトレイ開口部を除いた部分の概ね全体に渡って設けられ、
前記装置本体は、前記前板の外側に設置されたベゼルを有することを特徴とするディスク装置。
【０００９】
（２）  前記前板は、ヘッドホンを接続するヘッドホン端子が露出しているヘッドホン端子開口部と、
前記光ディスクに記録された情報を再生する際に、再生する音の強弱を調節する調節ツマミが露出している調節ツマミ開口部と、
前記ディスクトレイを異常時に前記排出位置に移動させる際に、前記ディスクトレイを移動操作する緊急排出ボタンが露出している緊急排出ボタン開口部と、
前記ディスク装置が作動している際に、点灯を行うＬＥＤが露出しているＬＥＤ開口部と、
前記ディスクトレイを前記装填位置または前記排出位置に移動させる際に、前記ディスクトレイを移動操作する移動操作ボタンが露出している移動操作ボタン開口部とからなる群より選択される少なくとも一つを有する上記（１）に記載のディスク装置。
【００１０】
（３）  前記前板は、当該ディスク装置の前面の投影面積の５０％以上を覆っている上記（１）または（２）に記載のディスク装置。
【００１１】
（４）  前記前板は、前記外装ケースの天板または底板と一体的に形成されている上記（１）ないし（３）のいずれかに記載のディスク装置。
【発明の効果】
【００１２】
本発明によれば、光ディスク回転駆動機構の駆動により光ディスクが回転する際に生じる騒音等が洩れないような外装ケースを形成することにより、このような騒音等を抑制することができる。
【発明を実施するための最良の形態】
【００１３】
以下、本発明のディスク装置を添付図面に示す好適な実施形態に基づいて詳細に説明する。
【００１４】
図１は、本発明のディスク装置の実施形態を示す平面図、図２は、図１に示すディスク装置の内部構造を示す平面図、図３は、図１に示すディスク装置を示す断面側面図、図４は、図３中の［Ａ］の部分の拡大詳細図、図５は、本発明のディスク装置の前板の実施形態を示す正面図である。なお、以下では、説明の都合上、特に述べない限り、図３および図４中の左方を「前」、右方を「後」、図３ないし図５中の上方を「上」、下方を「下」として説明する。
【００１５】
これらの図に示すディスク装置１は、音楽用ＣＤ、ＣＤ−ＲＯＭ、ＣＤ−Ｒ、ＣＤ−ＲＷ、ＤＶＤ等の光ディスク２００に記録された情報を再生する機能（または記録／再生する機能）を有する装置であって、例えばパソコンのようなコンピュータ装置（図示せず）の本体に対し設置されるものである。
【００１６】
これらの図に示すように、ディスク装置１は、外装ケース２５を有する装置本体２と、光ディスク２００を載置し、装置本体２に対し前後方向に移動するディスクトレイ１１と、装置本体２内に設置されたスレッドメカユニット３とを備えている。以下、各部の構成について説明する。
【００１７】
図１ないし図３に示すように、装置本体２は、フレーム２１と、フレーム２１を覆うように構成された外装ケース２５と有している。
【００１８】
外装ケース２５は、フレーム２１の前面に前板２６と、後面に後板２７と、下面に底板２２１と、側面に側板２２２と、上面に天板（蓋体）２３とを有している。
【００１９】
フレーム２１には、ディスクトレイ１１、ディスクトレイ移動機構１６、スレッドメカユニット３、メイン回路基板１２等が設置（搭載）されている。
【００２０】
フレーム２１には、前述した外装ケース２５が有している部材が例えばビス止めにより固定されている。また、フレーム２１と天板２３との間には、ディスクトレイ１１を収納する空間が形成される。
【００２１】
なお、フレーム２１およびディスクトレイ１１は、それぞれ、樹脂材料で成形されたものである。また、前述した外装ケース２５が有している部材は、それぞれ、金属板をプレス成形等により所定に変形させてなる板状部材である。
【００２２】
天板２３の後述するターンテーブル５２に対向する部分には、内面側に盛り上がるような凹部２３１が成形されており、ディスククランパ８がこの凹部２３１に回転可能に設置されている。なお、凹部２３１の外側は、円板２４により塞がれているのが好ましい。
【００２３】
メイン回路基板１２には、ディスク装置１の諸動作を制御する回路が形成されているとともに、前記コンピュータ装置の本体と接続するためのインターフェイスコネクタや、マイクロプロセッサ、メモリ、モータドライバなどの各種ＩＣや、抵抗、コンデンサ、スイッチなどの各種電子部品が搭載されている。図３に示すように、メイン回路基板１２は、後述するスレッドメカユニット３（シャーシ４）の下側に設置されている。
【００２４】
ディスクトレイ１１は、浅い凹状のディスク収納部１１１を有しており、光ディスク２００は、このディスク収納部１１１に収納された状態で搬送される。
【００２５】
ディスクトレイ１１は、フレーム２１に搭載されたディスクトレイ移動機構１６の駆動により、装置本体２に対し前後方向に移動（摺動）する。すなわち、ディスクトレイ１１は、装置本体２に対し、光ディスク２００を装填する装填位置（図３に示す位置）と、光ディスク２００を排出する排出位置（図１に示す位置）とに移動可能になっている。ディスクトレイ１１が装填位置にある状態（以下、「装填状態」と言う）では、ディスクトレイ１１は、その全体が装置本体２に収納される。ディスクトレイ１１が排出位置にある状態（以下、「排出状態」と言う）では、ディスクトレイ１１は、その大半が装置本体２より前方に突出する。
【００２６】
図２に示すように、装置本体２の内部には、スレッドメカユニット３を支持する枠部材１３が設置されている。枠部材１３は、ほぼ長方形の枠状をなしており、その後端部には、軸１３１が両側にそれぞれ突出形成されている。軸１３１は、フレーム２１に形成された受け部に回動可能に支持されている。これにより、枠部材１３は、装置本体２に対し軸１３１を中心として回動可能になっている。
【００２７】
枠部材１３は、駆動機構１７の駆動により、装填状態では天板２３および底板２２１とほぼ平行な姿勢となり（図３参照）、排出状態ではその前方側が下方向に変位して天板２３および底板２２１に対し傾斜した姿勢となるように変位する。
【００２８】
枠部材１３の内側には、スレッドメカユニット３が位置している。スレッドメカユニット３は、主に、シャーシ４と、光ディスク回転駆動機構５と、光ピックアップ（光学ヘッド）６と、光ピックアップ移動機構７とで構成されている。
【００２９】
シャーシ４は、縁部にリブ（壁部）が形成されたほぼ板状の形状をなしており、このシャーシ４に光ディスク回転駆動機構５と、光ピックアップ６と、光ピックアップ移動機構７とがそれぞれ設置（搭載）されている。
【００３０】
シャーシ４は、３個のゴムブッシュ（弾性部材）１４を介して枠部材１３に固定されている。すなわち、シャーシ４は、装置本体２に対しゴムブッシュ１４を介して支持されている。このゴムブッシュ１４により、振動や衝撃を吸収することができる。
【００３１】
光ディスク回転駆動機構５は、スピンドルモータ５１と、該スピンドルモータ５１のロータ５１１に固定されたターンテーブル５２とを有しており、シャーシ４の前側に設置されている。光ディスク回転駆動機構５は、ターンテーブル５２に光ディスク２００を装着（載置）して、この光ディスク２００を回転駆動するものである。
【００３２】
光ピックアップ６は、対物レンズ６１と、該対物レンズ６１を光軸方向（フォーカシング）および光ディスク２００の半径方向（トラッキング）に駆動するアクチュエータ６２と、レーザ光源と、集光光学系と、ビームスプリッタ（またはハーフミラー）と、情報検出用およびフォーカシング信号、トラッキング信号検出用の受光素子と、これらを支持する支持部材６３とを備え、光ディスク２００の記録面へ照射されたレーザ光の反射光を、対物レンズ、ビームスプリッタ（またはハーフミラー）等を介して受光素子へ導く構成のものである。
【００３３】
対物レンズ６１は、装填状態では、ディスクトレイ１１に形成された開口１１２よりディスク収納部１１１内に露出し、光ディスク２００の記録面と対面する。
【００３４】
支持部材６３は、例えばダイキャストで製造されるような金属材料で構成されている。支持部材６３の図２中の左側には、ガイドシャフト７６を挿通する孔が形成された一対の摺動部６４が形成されている。また、支持部材６３の図２中の右側には、ガイドシャフト７７に係合し、このガイドシャフト７７に沿って摺動する摺動部６５が形成されている。
【００３５】
光ピックアップ移動機構７は、正転／逆転可能なスレッドモータ７１と、該スレッドモータ７１の回転軸に固定されたウォーム７２と、該ウォーム７２に噛合する大径ギア７３と、大径ギア７３に固定されかつ同軸で回転する小径ギア７４と、支持部材６３に固定され、小径ギア７４と噛合するラックギア７５と、支持部材６３の移動経路を規定し、これを案内する一対のガイドシャフト７６および７７とで構成されている。
【００３６】
スレッドモータ７１が駆動すると、その回転力がウォーム７２、大径ギア７３、小径ギア７４およびラックギア７５に順次伝達され、支持部材６３がガイドシャフト７６、７７に沿って光ディスク２００の径方向（半径方向）に所定の移動範囲内で移動する。この場合、スレッドモータ７１の回転方向により、支持部材６３は、光ディスク２００の回転中心に接近する方向または回転中心から遠ざかる方向に移動する。
【００３７】
シャーシ４（スレッドメカユニット３）は、枠部材１３と共に装置本体２に対し回動する。図３に示すように、この回動中心である軸１３１は、シャーシ４の後端付近に位置する。すなわち、シャーシ４の後端は、回動中心となり装置本体２に対しほぼ変位しない回動端４１であり、シャーシ４の前端は、装置本体２に対しほぼ上下方向に変位する変位端４２になっている。
【００３８】
このような構成により、シャーシ４（スレッドメカユニット３）は、装填状態では、変位端４２側が上昇して、天板２３および底板２２１にほぼ平行な姿勢になり（図３参照）、排出状態では、変位端４２側が下降して、天板２３および底板２２１に対し傾斜した姿勢になる。これに伴って、光ディスク回転駆動機構５は、装置本体２内で上昇位置（図３に示す位置）と下降位置とに移動する。
【００３９】
光ディスク回転駆動機構５が下降位置にあるときには、ターンテーブル５２は、ディスクトレイ１１の下側に位置し、排出位置に移動するディスクトレイ１１と干渉しないようになっている。
【００４０】
光ディスク回転駆動機構５が上昇位置にあるときには、ターンテーブル５２は、開口１１２よりディスク収納部１１１内に突出（露出）し、これにより、装置本体２内に装填された光ディスク２００がターンテーブル５２に装着（載置）される。この状態では、ディスククランパ８がターンテーブル５２に設置された磁石（図示せず）に吸着され、これにより、光ディスク２００がターンテーブル５２とディスククランパ８との間で挟持される。
【００４１】
さて、このようなディスク装置１では、図４および図５に示すように、外装ケース２５の前面にある前板２６には、ディスクトレイ１１が挿通することができる程度の大きさのディスクトレイ開口部２６１が形成されている。なお、図５中のハッチング部は、前板２６の内側と外側とが連通している連通（開口）部または縁部２６２を切り欠いている切欠部２６３を示す。
【００４２】
前板２６は、底板２２１に対してほぼ直角に、かつ縁部２６２の上方が天板２３に接触するように、底板２２１と一体的に形成されており、外装ケース２５の前面の、ディスクトレイ開口部２６１を除くほぼ全体（全面）に渡って設けられている。
【００４３】
装置本体２は、前板２６の外側に設置されるベゼル９を有している。
ベゼル９は、前板２６の外側に設置され、前板２６と同様にディスク装置１の前面を覆う第１のベゼル９１と、ディスクトレイ１１の前面に設置され、ディスクトレイ開口部２６１を覆う第２のベゼル９２とを有している。このような第１のベゼル９１および第２のベゼル９２は、例えば、樹脂材料で成形されている。
【００４４】
第１のベゼル９１は、その外周部９１１に複数（本実施形態では、６つ）の爪９１２が形成されている。この爪９１２が前板２６の切欠部２６３に挿入されることにより、第１のベゼル９１を前板２６に設置することができる。また、第１のベゼル９１は、前板２６のディスクトレイ開口部２６１および後述する開口部とほぼ同様の開口部を有しているのが好ましい。
【００４５】
従来では、光ディスク回転駆動機構５の駆動による光ディスク２００が回転する際に生じる騒音がディスク装置１の前面の、前板２６で覆われていない部分から、直接ベゼル９を伝わり、ディスク装置１の外側へ洩れていた。一方、本実施形態では、前述したような前板２６を設置したことにより、騒音が直接伝わるベゼル９の面積を小さくすることができ、該騒音が減衰され、ディスク装置１の外側へ洩れることを防止することができる。すなわち、ディスク装置１の外側への騒音を抑制（低減）することができる。
【００４６】
また、図５に示すように、前板２６は、ヘッドホンを接続するヘッドホン端子１８が露出しているヘッドホン端子開口部２６４と、光ディスク２００に記録された情報を再生する際に、再生する音の強弱を調節する調節ツマミ１９が露出している調節ツマミ開口部２６５と、ディスクトレイ１１を異常時に前記排出位置に移動させる際に、ディスクトレイ１１を移動操作する緊急排出ボタン２０が露出している緊急排出ボタン開口部２６６と、ディスク装置１が作動している際に、点灯を行うＬＥＤ３０が露出しているＬＥＤ開口部２６７と、ディスクトレイ１１を前記装填位置または前記排出位置に移動させる際に、ディスクトレイ１１を移動操作する移動操作ボタン４０が露出している移動操作ボタン開口部２６８とを有している。
【００４７】
このような開口部をそれぞれの開口部から露出している部材で覆うことにより、前述の効果を得ることができる。
【００４８】
前板２６の面積（図５中のハッチング部を除く面積）は、ディスク装置１の前面の投影面積の５０％以上を占めているのが好ましい。また、その前板２６の面積は、６０〜８０％であるのがさらに好ましい。これにより、前板２６の面積が大きくなるため、騒音をより確実に抑制することができる。なお、図示の例では、前板２６の面積は、７８％を占めている。
【００４９】
以上、本発明のディスク装置を図示の実施形態について説明したが、本発明は、これに限定されるものではなく、ディスク装置を構成する各部は、同様の機能を発揮し得る任意の構成のものと置換することができる。また、任意の構成物が付加されていてもよい。
【００５０】
なお、本発明のディスク装置は、本実施形態のように、前板がヘッドホン端子開口部と、調節ツマミ開口部と、緊急排出ボタン開口部と、ＬＥＤ開口部と、移動操作ボタン開口部とを有しているのに限定されず、このような開口部からなる群より選択される少なくとも一つを有していればよい。
【００５１】
また、本発明のディスク装置は、本実施形態のように、前板が外装ケースの底板と一体的に形成されているのに限定されず、外装ケースの天板と一体的に形成されていてもよい。
【図面の簡単な説明】
【００５２】
【図１】本発明のディスク装置の実施形態を示す平面図である。
【図２】図１に示すディスク装置の内部構造を示す平面図である。
【図３】図１に示すディスク装置を示す断面側面図である。
【図４】図３中の［Ａ］の部分の拡大詳細図である。
【図５】本発明のディスク装置の前板の実施形態を示す正面図である。
【符号の説明】
【００５３】
１            ディスク装置
１１          ディスクトレイ
１１１        ディスク収納部
１１２        開口
１２          メイン回路基板
１３          枠部材
１３１        軸
１４          ゴムブッシュ
１６          ディスクトレイ移動機構
１７          駆動機構
１８          ヘッドホン端子
１９          調節ツマミ
２０          緊急排出ボタン
３０          ＬＥＤ
４０          移動操作ボタン
２            装置本体
２１          フレーム
２２１        底板
２２２        側板
２３          天板
２３１        凹部
２４          円板
２５          外装ケース
２６          前板
２６１        ディスクトレイ開口部
２６２        縁部
２６３        切欠部
２６４        ヘッドホン端子開口部
２６５        調節ツマミ開口部
２６６        緊急排出ボタン開口部
２６７        ＬＥＤ開口部
２６８        移動操作ボタン開口部
２７          後板
３            スレッドメカユニット
４            シャーシ
４１          回動端
４２          変位端
５            光ディスク回転駆動機構
５１          スピンドルモータ
５１１        ロータ
５２          ターンテーブル
６            光ピックアップ
６１          対物レンズ
６２          アクチュエータ
６３          支持部材
６４、６５    摺動部
７            光ピックアップ移動機構
７１          スレッドモータ
７２          ウォーム
７３          大径ギア
７４          小径ギア
７５          ラックギア
７６、７７    ガイドシャフト
８            ディスククランパ
９            ベゼル
９１          第１のベゼル
９１１        外周部
９１２        爪
９２          第２のベゼル
２００        光ディスク
【図１】
2005044473.tif 000003
【図２】
2005044473.tif 000004
【図３】
2005044473.tif 000005
【図４】
2005044473.tif 000006
【図５】
2005044473.tif 000007